(57)【要約】【課題】オーバーラップ部がなく、記憶メディアを切り替えて再生する際に、オーディオの切り替えノイズを除去するためにフェード処理を行うので連続して記録された音声データを完全に再生することはできない。【解決手段】記憶メディアを切り替えるフレーム数を音声信号のフレームシーケンスの整数倍とすることにより、記録フレーム数が同じでオーディオのサンプル数が異なることが起こらない制御をする。これにより再生時のオーディオのノイズを防止することができる。【選択図】図１
2006155713.tif 000002
【特許請求の範囲】
【請求項１】
フレーム毎に任意のサンプル数を持ち、且つ所定のフレームシーケンスに対して一定のサンプル数を有する音声信号を音声ファイルとして、映像信号を映像ファイルとしてそれぞれ記録する映像音声記録再生装置であって、
記憶メディアの残量が一定量を下回り記憶メディアを切り替える際に、記憶メディア切り替えフレーム数を音声信号のフレームシーケンスの整数倍にする手段を備えることを特徴とする映像音声記録再生装置。
【請求項２】
フレーム毎に任意のサンプル数を持ち、且つ所定のフレームシーケンスに対して一定のサンプル数を有する音声信号を音声ファイルとして、映像信号を映像ファイルとしてそれぞれ記録する映像音声記録再生装置であって、
記憶された格納サンプル数に対して読み出しサンプル数が一致しないことを検出する手段と、
次回、格納サンプル数に対して読み出しサンプル数が一致しないフレームで読み出しサンプル数が一致するようにフレームシーケンスの読み出しサンプル数を制御し同期させる手段と、
を備えることを特徴とする映像音声記録再生装置。
【請求項３】
前記記憶メディアを切り替えるフレーム数を映像フォーマットまたは音声フォーマットによって切り替えることを特徴とする請求項１または請求項２に記載の映像音声記録再生装置。
【請求項４】
複数の記憶メディアに連続したデータを繰り返して記録する機能を有することを特徴とする請求項１または請求項２に記載の映像音声記録再生装置。
【発明の詳細な説明】
【技術分野】
【０００１】
本発明は、記憶メディアＡ、記憶メディアＢ、記憶メディアＡ、記憶メディアＢの順で繰り返して記録し、最新のデータのみを２つの記憶メディアに記録し再生する映像音声記録再生装置に関する。
【背景技術】
【０００２】
従来は、記憶されたブロックの境界に前後に音声信号のオーバラップ部をもち、さらにブロックの境界における音声信号に対してフェード処理を行うことでオーディオのノイズを防止する記録再生制御方法があった。（例えば、特許文献１参照）。
【特許文献１】特開平１１−４３３８号公報
【発明の開示】
【発明が解決しようとする課題】
【０００３】
しかしながら、上記のような記録再生制御方法では、フェード処理を行うので連続して記録された音声データを完全に再生することはできず、またオーバーラップ部がない場合に、記憶メディアを切り替えて再生する際に、オーディオのノイズが発生する可能性があった。
【課題を解決するための手段】
【０００４】
上記課題を解決するために、本発明は、記憶メディアを切り替えるフレーム数を音声信号のフレームシーケンスの整数倍とすることにより、音声信号のオーバーラップ部がなくても再生時のオーディオのノイズを防止することが可能になる。
【発明の効果】
【０００５】
本発明では、記憶メディアを切り替えるフレーム数を音声信号のフレームシーケンスの整数倍とすることにより、記録フレーム数が同じでオーディオのサンプル数が異なることが起こらない制御をすることが可能になり、再生時のオーディオのノイズを防止することができる。
【発明を実施するための最良の形態】
【０００６】
以下、本発明の実施の形態を、図面を参照しながら説明する。
【０００７】
（実施の形態１）
図１は、本発明の映像音声記録装置の構成を示す。映像音声記録装置は、映像信号を入力する映像入力手段１０１と、映像入力手段１０１から入力された映像信号の符号化を行うエンコーダ１０２と、音声信号を入力する音声信号入力手段１０３と、記録、再生時に記憶メディアの切り替え制御を行う記憶メディア切り替え手段１０４と、着脱可能な記憶メディアＡ１０５、記憶メディアＢ１０６と記憶メディアから読み出された映像信号を復号化するデコーダ１０７と、デコーダ１０７で復号された映像信号を出力する映像信号出力手段１０８と、記憶メディアから読み出された音声信号を出力する音声信号出力手段１０９と、メディア容量管理手段１１０から構成される。
【０００８】
図２は、映像フォーマットがＮＴＳＣで記録され、且つ音声信号のフレームシーケンスの整数倍で記憶メディアを切り替える制御をしていない場合で、記録開始から記憶メディアＡ、記憶メディアＢの順に記録した一連続の音声データ構造を示す。
【０００９】
図３は、映像フォーマットがＮＴＳＣで記録され、且つ音声信号のフレームシーケンスの整数倍で記憶メディアを切り替える制御をしていない場合で、記録開始から記憶メディアＡ、記憶メディアＢ、記憶メディアＡの順に記録した一連続の音声データ構造を示す。
【００１０】
図４は、映像フォーマットがＮＴＳＣで記録され、且つ音声信号のフレームシーケンスの整数倍で記憶メディアを切り替える制御をしている場合で、記録開始から記憶メディアＡ、記憶メディアＢの順に記録した一連続の音声データ構造を示す。
【００１１】
図５は、映像フォーマットがＮＴＳＣで記録され、且つ音声信号のフレームシーケンスの整数倍で記憶メディアを切り替える制御をしている場合で、記録開始から記憶メディアＡ、記憶メディアＢ、記憶メディアＡの順に記録した一連続の音声データ構造を示す。
【００１２】
ＮＴＳＣは毎秒２９．９７フレームの映像信号と４８０００サンプルの音声信号が記録される。このため、映像信号１フレームに割り当てられる音声信号のサンプル数が整数とはならず、５フレーム単位で先頭が１６００サンプル、残り４フレームが１６０２サンプル割り当てられ、５フレーム合計で８００８サンプルが割り当てられる。この５フレーム単位で構成されるシーケンスを５フレームシーケンスと呼んでいる。
【００１３】
まず、音声信号のフレームシーケンスの整数倍で記憶メディアを切り替える制御をしておらずＮＴＳＣの映像信号、音声信号を記憶メディアＡ、記憶メディアＢ、記憶メディアＡの順で繰り返して記録した後、再生する場合を例に示す。
【００１４】
なお、本願実施の形態に示す映像音声記録再生装置は記憶メディアＡ、記憶メディアＢ、記憶メディアＡ、記憶メディアＢの順で繰り返して記録し、最新のデータのみを２つの記憶メディアに記録、再生するものである。
【００１５】
記録開始後、映像信号は映像信号入力手段１０１から入力されエンコーダ１０２で符号化され記憶メディアＡ１０５に記録される。同様に音声信号も音声信号入力手段１０３から入力され記憶メディアＡ１０５に記録される。記憶メディアＡ１０５に記録開始後、メディア容量管理手段１１０は記憶メディアＡ１０５の残量を監視し、記憶メディアＡ１０５の残量が一定量以下になると記憶メディア切り替え手段１０４に対しメディア切り替え命令を送る。メディア容量管理手段１１０からメディア切り替え命令が送られると、記憶メディア切り替え手段１０４は記憶メディアＢ１０６に記録対象を切り替える。このとき音声信号のフレームシーケンスの整数倍で記憶メディアを切り替える制御をしていないので記憶メディアＡ１０５に記録されるフレーム数は任意の値を取りうる。
【００１６】
記憶メディアＢ１０６に記録開始後、メディア容量管理手段１１０は記憶メディアＢ１０６の残量を監視し、記憶メディアＢ１０６の残量が一定量以下になると記憶メディア切り替え手段１０４に対しメディア切り替え命令を送る。メディア容量管理手段１１０からメディア切り替え命令が送られると、記憶メディア切り替え手段１０４はまず記憶メディアＡ１０５のデータを削除し、その後記憶メディアＡ１０５に記録対象を切り替える。このとき音声信号のフレームシーケンスの整数倍で記憶メディアを切り替える制御をしていないので記憶メディアＢ１０６に記録されるフレーム数は任意の値を取りうる。
【００１７】
記憶メディアＡ１０５に１０８フレーム、記憶メディアＢに９６フレーム記録された場合、記憶メディアＡ１０５に切り替える直前の音声データは図２の音声データ２０１、音声データ２０２のように格納されている。
【００１８】
記憶メディアＡ１０５のデータを削除したのち、記憶メディアＢ１０６の続きのデータを再度記憶メディアＡ１０５に記録開始、記録停止を行うと、音声データは図３の音声データ３０１、音声データ３０２のようになる。
【００１９】
以上のような手順を踏んで記録された音声信号を再生する場合、記録開始位置が記憶メディアＢ１０６になるので、記憶メディアＢ１０６内の音声データ３０２、記憶メディアＡ１０５の音声データ３０１順で再生される。再生時も５フレームシーケンスで再生されるので、まずデータの先頭から１６００サンプル、次の４フレームが１６０２サンプルずつデータの読み出しが行われる。
【００２０】
再生開始後、まず記憶メディアＢ１０６内にある音声データ３０２の先頭１フレーム目から１６００サンプルが読み出され、次に２フレーム目の１６０２サンプルが読み出され、、最後に最終フレームの９６フレーム目のデータが読み出されるが、５フレームシーケンスで読み出されるので１６００サンプルの読み出しが行われる。記憶メディアＢの９６フレーム目には１６０２サンプルのデータが格納されているが、読み出しが１６００サンプルしかされないため、記憶メディアＢの読み出しで２サンプルの読み出されない音声データが存在することになる。
【００２１】
記憶メディアＢの読み出し終了後、記憶メディア切り替え手段１０４が読み出す記憶メディアを記憶メディアＢ１０６から記憶メディアＡ１０５に切り替え、記憶メディアＡ１０５内にある音声データ３０１の先頭１フレーム目から１６０２サンプルを読み出して再生するが、記憶メディアＢ１０６内の音声データ３０２の最終２サンプルが欠落しているため、記憶メディアＢから記憶メディアＡに切り替える際に音声ノイズが発生する。
【００２２】
次に、音声信号のフレームシーケンスの整数倍で記憶メディアを切り替える制御をしてＮＴＳＣの映像信号、音声信号を記憶メディアＡ、記憶メディアＢ、記憶メディアＡの順で繰り返して記録した後、再生する場合を例に示す。
【００２３】
記録開始後、映像信号は映像信号入力手段１０１から入力されエンコーダ１０２で符号化され記憶メディアＡ１０５に記録される。同様に音声信号も音声信号入力手段１０３から入力され記憶メディアＡ１０５に記録される。記憶メディアＡ１０５に記録開始後、メディア容量管理手段１１０は記憶メディアＡ１０５の残量を監視し、記憶メディアＡ１０５の残量が一定量以下になると記憶メディア切り替え手段１０４に対しメディア切り替え命令を送る。メディア容量管理手段１１０からメディア切り替え命令が送られると、記憶メディア切り替え手段１０４は記憶メディアＢ１０６に記録対象を切り替える。このとき音声信号のフレームシーケンスは５フレームシーケンスであり、記憶メディア切り替え手段１０４は切り替えフレーム数を５フレームの整数倍になるような制御を行うので、記憶メディアＡ１０５に記録されるフレーム数は５の整数倍になる。
【００２４】
記憶メディアＢ１０６に記録開始後、メディア容量管理手段１１０は記憶メディアＢ１０６の残量を監視し、記憶メディアＢ１０６の残量が一定量以下になると記憶メディア切り替え手段１０４に対しメディア切り替え命令を送る。メディア容量管理手段１１０からメディア切り替え命令が送られると、記憶メディア切り替え手段１０４はまず記憶メディアＡ１０５のデータを削除し、その後記憶メディアＡ１０５に記録対象を切り替える。このとき音声信号のフレームシーケンスは５フレームシーケンスであり、記憶メディア切り替え手段１０４は切り替えフレーム数を５フレームの整数倍になるような制御を行うので、記憶メディアＢ１０６に記録されるフレーム数も５の整数倍になる。記憶メディアＡ１０５に５フレームの整数倍である１００フレーム、記憶メディアＢにも５フレームの整数倍である１００フレーム記録された場合、記憶メディアＡ１０５に切り替える直前の音声データは図４の音声データ４０１、音声データ４０２のように格納されている。
【００２５】
記憶メディアＡ１０５のデータを削除したのち、記憶メディアＢ１０６の続きのデータを再度記憶メディアＡ１０５に記録開始、記録停止を行うと、音声データは図５の音声データ５０１、音声データ５０２のようになる。
【００２６】
以上のような手順を踏んで記録された音声信号を再生する場合、記録開始位置が記憶メディアＢ１０６になるので、記憶メディアＢ１０６内の音声データ５０２、記憶メディアＡ１０５の音声データ５０１順で再生される。再生時も５フレームシーケンスで再生されるので、まずデータの先頭から１６００サンプル、次の４フレームが１６０２サンプルずつデータの読み出しが行われる。
【００２７】
再生開始後、まず記憶メディアＢ１０６内にある音声データ５０２の先頭１フレーム目から１６００サンプルが読み出され、次に２フレーム目の１６０２サンプルが読み出され、最後に最終フレームの１００フレーム目のデータ１６０２サンプルが読み出される。切り替えフレーム数が５フレームの整数倍になっているため、格納サンプルと読み出しサンプルが等しくなり、読み出されない音声データは存在しない。
【００２８】
記憶メディアＢの読み出し終了後、記憶メディア切り替え手段１０４が読み出す記憶メディアを記憶メディアＢ１０６から記憶メディアＡ１０５に切り替え、記憶メディアＡ１０５内にある音声データ５０１の先頭１フレーム目から１６００サンプルを読み出して再生しても、記憶メディアＢ１０６内の音声データ５０２をすべて読み出しているので、記憶メディアＢから記憶メディアＡに切り替わる際にもノイズが発生することはない。
【００２９】
以上のように本発明によれば、記憶メディアを切り替えるフレーム数を音声信号のフレームシーケンスの整数倍とすることにより、記録フレーム数が同じでオーディオのサンプル数が異なることが起こらない制御をすることが可能になり、再生時のオーディオのノイズを防止することができる。
【００３０】
（実施の形態２）
格納サンプル数１６００を検出してこれに読み出しサンプル数を同期させ、以後５フレームシーケンスを繰り返すことも可能である。
【００３１】
図６にその実施の形態を示す。
【００３２】
図６は、映像フォーマットがＮＴＳＣで記録され、且つ音声信号のフレームシーケンスの整数倍で記憶メディアを切り替える制御をしていない図３に示す場合と同じで、格納サンプル数と読み出しサンプル数がフレームナンバー１ですでに一致していない。音声データは図３の場合と同様、音声データ６０１、音声データ６０２のようになる。この不一致を検知し、次の格納サンプル数が１６００であることを検出した音声フレームから読み出しサンプル数を１６００とし、以後５フレームシーケンスを繰り返すことで記憶メディアを切り替える時にも再生時のオーディオのノイズを防止することができる。
【産業上の利用可能性】
【００３３】
本発明にかかる記録制御方法は、複数の記憶メディアに連続したデータを繰り返して記録する際、記憶メディアを切り替えるフレーム数を音声信号のフレームシーケンスの整数倍に設定する機能を有することによって、再生時にオーディオのノイズが発生しない映像音声記録再生装置に適用することができる。
【図面の簡単な説明】
【００３４】
【図１】本発明の第１の実施の形態の映像音声記録再生装置のブロック図
【図２】本発明の第１の実施の形態の音声データ構造の説明図
【図３】本発明の第１の実施の形態の音声データ構造の説明図
【図４】本発明の第１の実施の形態の音声データ構造の説明図
【図５】本発明の第１の実施の形態の音声データ構造の説明図
【図６】本発明の第２の実施の形態の音声データ構造の説明図
【符号の説明】
【００３５】
１０１  映像信号入力手段
１０２  エンコーダ
１０３  音声信号入力手段
１０４  記憶メディア切り替え手段
１０５、１０６  記憶メディア
１０７  デコーダ
１０８  映像信号出力手段
１０９  音声信号出力手段
１１０  メディア容量管理手段
２０１、２０２  記憶メディア内に格納されている音声データ
３０１、３０２  記憶メディア内に格納されている音声データ
４０１、４０２  記憶メディア内に格納されている音声データ
５０１、５０２  記憶メディア内に格納されている音声データ
６０１、６０２  記憶メディア内に格納されている音声データ
【図１】
2006155713.tif 000003
【図２】
2006155713.tif 000004
【図３】
2006155713.tif 000005
【図４】
2006155713.tif 000006
【図５】
2006155713.tif 000007
【図６】
2006155713.tif 000008